(57)【要約】【課題】筐体の角部において発生するプロペラファンの吸い込みロスを低減して、送風の高効率化及び低騒音化を実現する。【解決手段】壁部２ａに吹出口２Ｈが形成された筐体２と、筐体２内において吹出口２Ｈに対向して設けられたプロペラファン４１と、プロペラファン４１の吹出口２Ｈ側に設けられたディフューザ部４４とを備え、ディフューザ部４４は、プロペラファン４１の回転軸４１ｘとのなす傾斜角度θが周方向において変化する傾斜面４４ａを有しており、プロペラファン４１の吸い込みロスが相対的に大きい部位に、傾斜角度θが最大となる最大傾斜部４４Ｍを有する。【選択図】図１
2018084232.tif 000002
【特許請求の範囲】
【請求項１】
壁部に吹出口が形成された筐体と、
前記筐体内において前記吹出口に対向して設けられたプロペラファンと、
前記プロペラファンの吹出口側に設けられたディフューザ部とを備え、
前記ディフューザ部は、前記プロペラファンの回転軸とのなす傾斜角度が周方向において変化する傾斜面を有しており、前記回転軸の軸方向から見て径方向外側に吸気口が無い又は前記プロペラファンから吸気口が遠い第１部位に、前記傾斜角度が最大、又は前記回転軸と前記ディフューザ部の吐出側開口端との長さである開き寸法が最大となる最大傾斜部が設けられており、前記第１部位に対向する第２部位に、前記傾斜角度が最大又は前記開き寸法が最大となる最大傾斜部が設けられていない送風装置。
【請求項２】
前記壁部が矩形状をなすものであり、
前記第１部位は、前記壁部の角部に隣接する部位である、請求項１記載の送風装置。
【請求項３】
前記壁部は、前記筐体の前壁部である、請求項１又は２記載の送風装置。
【請求項４】
前記筐体内において前記筐体の後壁部及び左右側壁部の一方に沿って熱交換器が設けられており、
前記第１部位は、前記前壁部の角部のうち、少なくとも前記左右側壁の他方側にある角部に隣接する部位である、請求項２又は３記載の送風装置。
【請求項５】
前記左右側壁の他方側にある角部は、筐体内に設けられた機械室との仕切り壁により形成されている、請求項４記載の送風装置。
【請求項６】
前記前壁部に複数の吐出口が形成されており、
前記複数の吐出口それぞれに対応するディフューザ部に前記最大傾斜部が設けられている、請求項２、３、４又は５記載の送風装置。
【請求項７】
前記筐体の前壁部を構成する平面視において矩形状をなす前面パネルを備えており、
前記前面パネルには、１つ以上の吹出口が形成されるとともに、前記ディフューザ部が一体に形成されており、
前記第１部位は、前記前面パネルの４つの角部のうち３つの角部に隣接する部位である、請求項２、３、４、５又は６記載の送風装置。
【請求項８】
前記壁部は、前記筐体の上壁部である、請求項１又は２記載の送風装置。
【請求項９】
前記筐体内において、前記上壁部の下方に熱交換器が設けられており、
前記第１部位は、前記上壁面の角部のうち、前記熱交換器の終端部がある角部に隣接する部位である、請求項２又は８記載の送風装置。
【請求項１０】
壁部に吹出口が形成された筐体と、
前記筐体内において前記吹出口に対向して設けられたプロペラファンと、
前記プロペラファンの吹出口側に設けられたディフューザ部とを備え、
前記ディフューザ部は、前記プロペラファンの回転軸とのなす傾斜角度が周方向において変化する傾斜面を有しており、前記回転軸の軸方向から見て径方向外側に吸気口が無い又は前記プロペラファンから吸気口が遠い第１部位及び当該第１部位に対向する第２部位に、前記傾斜角度が最大、又は前記回転軸と前記ディフューザ部の吐出側開口端との長さである開き寸法が最大となる最大傾斜部が設けられている送風装置。
【請求項１１】
前記ディフューザ部において、前記第１部位及び前記第２部位の対向方向に直交する第３部位及び第4部位に、前記傾斜角度が最大又は前記開き寸法が最大となる最大傾斜部が設けられていない、請求項１０記載の送風装置。
【請求項１２】
前記ディフューザ部は、前記傾斜角度が最小、又は前記回転軸と前記ディフューザ部の吐出側開口端との長さである開き寸法が最小となる最小傾斜部を有しており、
前記第１部位の最大傾斜部から前記最小傾斜部までの距離と、前記第２部位の最大傾斜部から前記最小傾斜部までの距離とが互いに異なる、請求項１０又は１１記載の送風装置。
【請求項１３】
請求項１乃至１２の何れか一項の送風装置を備えた空気調和機用室外機。
【発明の詳細な説明】
【技術分野】
【０００１】
本発明は、送風装置及びこれを用いた空気調和機用室外機に関するものである。
【背景技術】
【０００２】
従来の空気調和機用室外機としては、図１０及び図１１に示すように、横吹き型の室外機がある。
この横吹き型の室外機は、筐体の前壁部に形成された吹出口に対向してプロペラファンが設けられており、当該プロペラファンの吹出口側にディフューザ部が設けられている。また、筐体内において、筐体の後壁部及び左右側壁部の一方に沿って熱交換器が設けられている。
【０００３】
このような横吹き型の室外機は、その構造上、ディフューザ部を設置するスペースを十分に確保することが難しく、ディフューザ部の傾斜面の傾斜角度や吹き出し方向における長さ寸法に制約がある。一般的には、ディフューザ部は吹き出し方向における長さ寸法が大きい方が良く、プロペラファン単独との関係であれば、その傾斜角度（開き角度）には最適値があることが多い。
【０００４】
ところが、室外機においては種々の部品配置の観点から、吸気口が室外機全周にわたって設けられないことが多いため、筐体の角部では流体抵抗がその他の部分に比べて大きく、プロペラファンの吸込みロスが発生してしまう。また、下流側に設けられたファンガードによる圧力損失も大きいため、室外機の高効率化及び低騒音化を実現することが難しくなってしまう。
【０００５】
ここで、特許文献１に示すように、プロペラファンの下流側におけるベルマウスの開口部（ディフューザ部に相当）において、送風機室及び機械室の仕切板に近い部分の曲率半径と、室外熱交換器に近い部分の曲率半径とを、それらから遠い部分の曲率半径よりも小さくしたものが考えられている。この特許文献１では、ベルマウスの開口部の形状を工夫することによって、ベルマウスの開口部のうち仕切板や室外熱交換器に近い部分における空気の流れの悪化を抑える効果を得ようとしている。
【０００６】
しかしながら、上記の構成では、吸気口が形成されていない筐体の角部の流体抵抗により生じる吸い込みロスを低減することができないため、依然として送風の高効率化及び低騒音化を実現することが難しい。
【先行技術文献】
【特許文献】
【０００７】
【特許文献１】特開２０１３−９６６２２号公報
【発明の概要】
【発明が解決しようとする課題】
【０００８】
そこで本発明は、上記問題点を解決すべくなされたものであり、筐体の吸気口とプロペラファンとの位置関係により生じるプロペラファンの吸い込みロスを低減して、送風の高効率化及び低騒音化を実現することを主たる課題とするものである。
【課題を解決するための手段】
【０００９】
すなわち本発明に係る送風装置は、壁部に吹出口が形成された筐体と、前記筐体内において前記吹出口に対向して設けられたプロペラファンと、前記プロペラファンの吹出口側に設けられたディフューザ部とを備え、前記ディフューザ部は、前記プロペラファンの回転軸とのなす傾斜角度が周方向において変化する傾斜面を有しており、前記回転軸の軸方向から見て径方向外側に吸気口が無い又は前記プロペラファンから吸気口が遠い第１部位に、前記傾斜角度が最大、又は前記回転軸と前記ディフューザ部の吐出側開口端との長さである開き寸法が最大となる最大傾斜部が設けられており、前記第１部位に対向する第２部位に、前記傾斜角度が最大又は前記開き寸法が最大となる最大傾斜部が設けられていないことを特徴とする。
【００１０】
このような送風装置であれば、プロペラファンの吸い込みロスが相対的に大きい部位である第１部位に最大傾斜部を有するので、筐体の吸気口とプロペラファンとの位置関係により生じるプロペラファンの吸い込みロスを低減することができる。これにより、送風装置の送風性能を向上させることができる。また、ディフューザ部の吹出口側の流路を拡大することができるので、ファンガードへの流入速度分布を可及的に均一にすることができ、送風装置の圧力損失を低減することができる。これらにより、送風装置の高性能化及び低騒音化が可能となる。その他、ディフューザ部による動圧回収も期待できるためプロペラファンの失速耐力の向上も実現できる。
ここで、筐体において、プロペラファンの周方向において吸気口が無い部位に対向する吐出部に傾斜部が形成されている構成がある。この構成における吐出部分に最大傾斜部を設けてしまうと、剥離に起因する逆流が大きくなってしまい、流体抵抗増加の原因となってしまう。このため、本発明では、ディフューザ部において第１部位に対向する第２部位には最大傾斜部を設けていない構成とすることが望ましい。この構成により、逆流を小さくして室外機の流体抵抗を低減することができる。
なお、前記プロペラファンから吸気口が遠いとは、プロペラファンと吸気口との間に熱交換器以外の例えば圧縮機などの機械部品が配置されており、プロペラファンと吸気口との間に前記機械部品が配置されていない部分よりも流路が長いことをいう。
【００１１】
前記壁部の具体的な実施の態様としては、前記壁部が平面視において矩形状をなすものであることが考えられる。この構成の場合、プロペラファンの吸い込みロスが相対的に大きい部位としては、前記壁部の角部に隣接する部位であることが考えられる。そうすると、前記第１部位は、前記壁部の角部に隣接する部位であることが望ましい。
【００１２】
横吹き型の室外機等に適用するためには、前記壁部は、前記筐体の前壁部であることが望ましい。
【００１３】
前記筐体内において前記筐体の後壁部及び左右側壁部の一方に沿って熱交換器が設けられた送風装置の場合には、前記前壁部の角部のうち左右側壁部の一方側には熱交換器が配置されているので、吸気が十分になされやすいことからプロペラファンの吸い込みロスは発生しづらい。一方で、前壁部の角部のうち左右側壁部の他方側には熱交換器が無いので、吸気がされず流体抵抗が大きくなり、プロペラファンの吸い込みロスが発生してしまう。このため、前記第１部位は、前記前壁部の角部のうち、少なくとも前記左右側壁の他方側にある角部に隣接する部位であることが望ましい。具体的に、前記左右側壁の他方側にある角部は、筐体内に設けられた機械室との仕切り壁により形成されていることが考えられる。
【００１４】
送風装置の送風能力を高めるためには、前記前壁部に複数の吐出口が形成されており、当該複数の吐出口それぞれに対応するディフューザ部に前記最大傾斜部が設けられていることが望ましい。
【００１５】
前記送風装置は、前記筐体の前壁部を構成する平面視において矩形状をなす前面パネルを備えており、前記前面パネルには、１つ以上の吹出口が形成されるとともに、前記ディフューザ部が一体に形成されていることが望ましい。この構成であれば、送風装置の部品点数を削減するとともに、その組み立てを容易にすることができる。
【００１６】
この構成において、前記第１部位は、前記前面パネルの４つの角部のうち３つの角部に隣接する部位であることが望ましい。
特に、上下２箇所に吹出口が構成される送風装置の場合には、左右側壁部の一方側であって、２つの吹出口の間に位置する部位は、熱交換器があること、及び、２つのプロペラファンに挟まれる位置であることから、当該部位に最大傾斜部を設けることの効果は小さい。このため、ディフューザ部は、４つの角部に対向又は隣接する４つの部位のうち、２つの吹出口の間に位置する部位における少なくとも１つを含まない３つの部位に最大傾斜部を有することが望ましい。
【００１７】
縦吹き型の室外機等に適用するためには、前記壁部は、前記筐体の上壁部であることが望ましい。
【００１８】
前記筐体内において、前記上壁部の下方に熱交換器が設けられており、前記第１部位は、前記上壁面の角部のうち、前記熱交換器の終端部がある角部に隣接する部位であることが望ましい。前記熱交換器の終端部がある角部には吸気口が形成されていないので、この角部に隣接する部位に最大傾斜部を設けることによって、吸い込みロスを低減することができる。
【００１９】
また、本発明に係る送風装置は、壁部に吹出口が形成された筐体と、前記筐体内において前記吹出口に対向して設けられたプロペラファンと、前記プロペラファンの吹出口側に設けられたディフューザ部とを備え、前記ディフューザ部は、前記プロペラファンの回転軸とのなす傾斜角度が周方向において変化する傾斜面を有しており、前記回転軸の軸方向から見て径方向外側に吸気口が無い又は前記プロペラファンから吸気口が遠い第１部位及び当該第１部位に対向する第２部位に、前記傾斜角度が最大、又は前記回転軸と前記ディフューザ部の吐出側開口端との長さである開き寸法が最大となる最大傾斜部が設けられていることを特徴とする。
【００２０】
このような送風装置であれば、プロペラファンの吸い込みロスが相対的に大きい部位である第１部位に最大傾斜部を有するので、筐体の吸気口とプロペラファンとの位置関係により生じるプロペラファンの吸い込みロスを低減することができる。これにより、送風装置の送風性能を向上させることができる。また、ディフューザ部の吹出口側の流路を拡大することができるので、ファンガードへの流入速度分布を可及的に均一にすることができ、送風装置の圧力損失を低減することができる。これらにより、送風装置の高性能化及び低騒音化が可能となる。その他、ディフューザ部による動圧回収も期待できるためプロペラファンの失速耐力の向上も実現できる。
ここで、筐体において、プロペラファンの周方向において吸気口が無い部分の対角上にも吸気口が形成されていない構成がある。このため、本発明では、第１部位に対向する第２部位にも最大傾斜部を設ける構成とすることが望ましい。
【００２１】
このとき、筐体において、プロペラファンの周方向において第１部位及び第２部位の対向方向に直交する部位には吸気口が形成されている構成がある。このため、前記ディフューザ部において、前記第１部位及び前記第２部位の対向方向に直交する第３部位及び第４部位に、前記傾斜角度が最大又は前記開き寸法が最大となる最大傾斜部が設けられていないことが望ましい。
【００２２】
具体的には、前記ディフューザ部は、前記傾斜角度が最小、又は前記回転軸と前記ディフューザ部の吐出側開口端との長さである開き寸法が最小となる最小傾斜部を有しており、前記第１部位の最大傾斜部から前記最小傾斜部までの距離と、前記第２部位の最大傾斜部から前記最小傾斜部までの距離とが互いに異なることが望ましい。
【発明の効果】
【００２３】
本発明によれば、プロペラファンの吸い込みロスが相対的に大きい部位である第１部位に最大傾斜部を有するので、筐体の吸気口とプロペラファンとの位置関係により生じるプロペラファンの吸い込みロスを低減することができ、送風の高効率化及び低騒音化を実現することができる。
【図面の簡単な説明】
【００２４】
【図１】本実施形態における空気調和機用室外機の正面図である。
【図２】同実施形態の吹出口及び送風機の位置関係を模式的に示す図である。
【図３】同実施形態の空気調和機用室外機のＡ−Ａ’線断面図である。
【図４】同実施形態の前面パネルの平面図である。
【図５】同実施形態の前面パネルのＢ−Ｂ’線断面図及びＣ−Ｃ’線断面図である。
【図６】同実施形態の角部及び最大傾斜部との位置関係を示す正面図である。
【図７】変形実施形態の前面パネルの平面図である。
【図８】変形実施形態における空気調和機用室外機を模式的に示す正面図及び平面図である。
【図９】変形実施形態における空気調和機用室外機を模式的に示す平円図である。
【図１０】従来の空気調和機用室外機の正面図である。
【図１１】従来の空気調和機用室外機のＤ−Ｄ’線断面図及びＥ−Ｅ’線断面図である。
【発明を実施するための形態】
【００２５】
以下に本発明の送風装置を用いた空気調和機用室外機の一実施形態について、図面を参照して説明する。
【００２６】
本実施形態の空気調和機用室外機１００は、横吹き型のものであり、図１〜図３に示すように、直方体形状をなす筐体２と、筐体２に収容された室外熱交換器３と、筐体２に収容されて室外熱交換器３に外気を送風するための送風機４とを備えている。
【００２７】
筐体２は、仕切り板２１によって左右２つの空間に仕切られており、一方の空間（左側空間）Ｓ１は、室外熱交換器３及び送風機４が収容される送風室とされ、他方の空間（右側空間）Ｓ２は、圧縮機などの冷凍サイクルを構成する部品やその他の電装機器が収容される機械室とされている。
【００２８】
また、筐体２の前壁部２ａは、平面視において矩形状をなすものであり、その前壁部２ａの上下２箇所に吹出口２Ｈが形成されている。なお、前壁部２ａにおいて、吹出口２Ｈが形成される部分は、送風室Ｓ１を形成する部分である。この吹出口２Ｈの外側には、ファンガード（不図示）が設けられている。さらに、筐体２の一方の側壁部（図２では左壁部２ｂ）及び後壁部２ｃには、筐体２外部の空気を筐体２内部に導入するための吸気口２Ｊが形成されている。なお、後壁部２ｃにおいて吸気口２Ｊが形成される部分は、送風室Ｓ１を形成する部分である。
【００２９】
室外熱交換器３は、筐体２の左壁部２ｂ及び後壁部２ｃに沿って設けられた上面視において概略Ｌ字形状をなすものである。なお、室外熱交換器３は、左壁部２ｂに沿って設けられた熱交換要素と、後壁部２ｃに沿って設けられた熱交換要素とに分割されたものであっても良い。
【００３０】
送風機４は、前記２つの吹出口２Ｈそれぞれに設けられている。この送風機４により、筐体２の左壁部２ｂ及び後壁部２ｃの吸気口２Ｊから空気が吸い込まれて、筐体２の前壁部２ａの吹出口２Ｈから空気が吹き出される。
【００３１】
具体的に各送風機４は、吹出口２Ｈに対向して設けられたプロペラファン（軸流ファン）４１と、当該プロペラファン４１を回転駆動するためのモータ４２と、プロペラファン４１の径方向外側に設けられた円筒状をなすベルマウス部４３と、当該ベルマウス部４３の吹出口２Ｈ側に設けられたディフューザ部４４とを備えている。
【００３２】
プロペラファン４１及びモータ４２は、筐体２の内部に固定されたモータブラケット（支持具）５によって吹出口２Ｈに対向する所定の位置に固定されている（図２参照）。
【００３３】
また、ディフューザ部４４は、図３〜図５に示すように、ベルマウス部４３の吐出側端部に連続して一体形成されたものであり、前壁部２ａを構成する前面パネル２Ｐと一体形成されている。つまり、ベルマウス部４３、ディフューザ部４４及び前面パネル２Ｐは一体成型品である。この構成により、ディフューザ部４４の吹出側開口が吹出口２Ｈとなる。
【００３４】
本実施形態の前面パネル２Ｐは、図４に示すように、２つの吹出口２Ｈが形成された平面視において矩形状をなすものである。本実施形態の室外機１００では、前壁部２ａの上下２箇所に吹出口２Ｈが形成されている。
【００３５】
そして、本実施形態のディフューザ部４４は、図４及び図５に示すように、下流側に向かうに連れて径方向外側に向かうとともに、プロペラファン４１の回転軸４１ｘとのなす傾斜角度θ、又はディフューザ部４４の吐出側開口の開き寸法Ｄが周方向において変化する傾斜面４４ａを有している。ここで開き寸法Ｄとは、吐出側開口端とプロペラファン４１の回転軸４１ｘとの距離である。なお、ディフューザ部４４の吸込側開口はベルマウス部４３と同様に円形状をなしている。なお、傾斜面４４ａは、その断面が直線状をなすものの他、その断面が湾曲状をなすものであっても良い。
【００３６】
ディフューザ部４４は、回転軸４１ｘの軸方向から見て径方向外側に吸気口２Ｊが無い第１部位に、傾斜角度θ又は開き寸法Ｄが最大となる最大傾斜部４４Ｍを有する。具体的にディフューザ部４４は、前面パネル２Ｐの４つの角部Ｅ１〜Ｅ４のうち、少なくとも仕切り板２１側にある角部Ｅ１、Ｅ４に隣接する部位に、傾斜角度θ又は開き寸法Ｄが最大となる最大傾斜部４４Ｍを有する。この最大傾斜部４４Ｍは、プロペラファン４１の吸い込みロスが周方向において相対的に大きい部分の流路抵抗を小さくすることによって、プロペラファン４１の周方向における吸い込みを均一化するためのものである。
【００３７】
なお、図６に示すように、角部Ｅ１は、上壁部２ｅと仕切り板２１とにより形成される角部であり、吸気口２Ｊが形成されていない。角部Ｅ２は、上壁部２ｅと左壁部２ｂの上部（吸気口２Ｊが無い部分）とにより形成される角部であり、吸気口２Ｊが形成されていない。角部Ｅ３は、下壁部２ｆと左壁部２ｂの下部（吸気口２Ｊが無い部分）とにより形成される角部であり、吸気口２Ｊが形成されていない。角部Ｅ４は、下壁部２ｆと仕切り板２１とにより形成される角部であり、吸気口２Ｊが形成されていない。
【００３８】
より詳細には、上側のディフューザ部４４は、４つの角部Ｅ１〜Ｅ４のうち３つの角部Ｅ１、Ｅ２、Ｅ４に隣接する部位に最大傾斜部４４Ｍを有している。上側のディフューザ部４４において、３つの角部Ｅ１、Ｅ２、Ｅ４に隣接する部位が、回転軸４１ｘの軸方向から見て径方向外側に吸気口２Ｊが無い第１部位である。また、上側のディフューザ部４４において、角部Ｅ１に隣接する部分（第１部位）に対向する、角部Ｅ３に隣接する部分（第２部位）には、最大傾斜部４４Ｍが設けられていない。
【００３９】
また、下側のディフューザ部４４は、４つの角部Ｅ１〜Ｅ４のうち３つの角部Ｅ１、Ｅ３、Ｅ４に隣接する部位に最大傾斜部４４Ｍを有している。下側のディフューザ部４４において、３つの角部Ｅ１、Ｅ３、Ｅ４に隣接する部位は、回転軸４１ｘの軸方向から見て径方向外側に吸気口２Ｊが無い第１部位である。また、下側のディフューザ部４４において、角部Ｅ４に隣接する部分（第１部位）に対向する、角部Ｅ２に隣接する部分（第２部位）には、最大傾斜部４４Ｍが設けられていない。
【００４０】
なお、上側のディフューザ部４４において、角部Ｅ３に隣接する部位に最大傾斜部４４Ｍを設け、下側のディフューザ部４４において、角部Ｅ２に隣接する部位に最大傾斜部４４Ｍを設けても良い。ただし、本実施形態では、左壁部２ｂに沿って室外熱交換器３が設けられており、また、それらの部位は２つのプロペラファン４１に挟まれる位置であることから、それらの部位に最大傾斜部を設けることの効果は小さい。
【００４１】
＜本実施形態の効果＞
このように構成した本実施形態の空気調和機用室外機１００によれば、ディフューザ部４４が、プロペラファン４１の吸い込みロスが相対的に大きい部位である第１部位、つまり前壁部２ａの角部Ｅ１〜Ｅ４に隣接する部位に、最大傾斜部４４Ｍを有するので、吸気口２Ｊが設けられていない筐体２の角部Ｅ１〜Ｅ４において発生するプロペラファン４１の吸い込みロスを低減することができる。これにより、送風性能を向上することができる。また、ディフューザ部４４の吹出口側の流路を拡大することができるので、ファンガードへの流入速度分布を可及的に均一にすることができ、室外機１００における送風機４の圧力損失を低減することができる。これらにより、室外機１００の高性能化及び低騒音化が可能となる。その他、ディフューザ部４４による動圧回収も期待できるためプロペラファン４１の失速耐力の向上も実現できる。
【００４２】
なお、本発明は前記各実施形態に限られるものではない。
【００４３】
例えば、前記実施形態では、上下２箇所にプロペラファン４１（送風機４）を設けたものであったが、１つのプロペラファン（送風機）を有するものであっても良いし、３つ以上のプロペラファン（送風機）を有するものであっても良い。この場合、前面パネル２Ｐには、プロペラファンの数と同じ数の吹出口及びディフューザ部が形成される。
【００４４】
ディフューザ部４４の構成は前記実施形態に限られず、２つの角部に隣接する部位に最大傾斜部を設けても良い（図７（１）参照）し、いずれか１つの角部に隣接する部位に最大傾斜部を設けても良い（図７（２）参照）。
【００４５】
特に図７（１）の場合について詳述する。
このディフューザ部４４は、回転軸４１ｘの軸方向から見て、径方向外側に吸気口２Ｊが無い第１部位及び当該第１部位に対向する第２部位に最大傾斜部４４Ｍが設けられている。第１部位は、角部Ｅ２に隣接する部位であり、第２部位は、角部Ｅ４に隣接する部位である。
また、ディフューザ部４４において、第１部位及び第２部位の対向方向に直交する第３部位及び第４部位には、最大傾斜部４４Ｍは設けられていない。ここで、第３部位は、角部Ｅ１に隣接する部位であり、第４部位は、角部Ｅ３に隣接する部位である。
この構成において、ディフューザ部４４は、傾斜角度θが最小、又は開き寸法Ｄが最小となる最小傾斜部４４Ｎを有している。この最小傾斜部４４Ｎは、２つの最大傾斜部４４Ｍの間にそれぞれ設けられている。そして、第１部位の最大傾斜部４４Ｍから最小傾斜部４４Ｎまでの距離Ｌ１と、第２部位の最大傾斜部４４Ｍから最小傾斜部４４Ｎまでの距離Ｌ２とが互いに異なるように構成されている。
【００４６】
前記実施形態は横吹き型の室外機について説明したが、図８に示すように、縦吹き型の室外機に適用しても良い。つまり、吹出口２Ｈが筐体の上壁部２ｅに形成されており、当該吹出口２Ｈに対向してプロペラファン４１を設け、筐体２の側周壁２ｂ〜２ｄから空気を吸い込んで筐体２の上壁部２ｅの吹出口２Ｈから空気を吹き出すものであっても良い。
【００４７】
図９に１つのプロペラファンを有する上吹き型の室外機について説明する。図９に示す室外機では、筐体２の側周壁２ｂ〜２ｄから空気を吸い込んで筐体２の上壁部２ｅの吹出口２Ｈから空気を吹き出す構成である。この室外機の筐体２内に設けられた熱交換器３は、筐体２の左壁部２ｂ、後壁部２ｃ及び右壁部２ｄに沿って設けられた上面視において概略コの字形状をなすものである。そして、この熱交換器３の２つの終端部３ｘの一方は、左壁部２ｂにおける前壁部側に位置しており、他方は、右壁部２ｄにおける前壁部側に位置している。そして、ディフューザ部４４は、上壁部２ｅの４つの角部Ｅ５〜Ｅ８のうち、熱交換器３の終端部３ｘがある角部Ｅ５、Ｅ８に隣接する部位に、傾斜角度θ又は開き寸法Ｄが最大となる最大傾斜部４４Ｍを有する。
【００４８】
前記実施形態では、ディフューザ部４４において、回転軸４１ｘの軸方向から見て径方向外側に吸気口２Ｊが無い第１部位に最大傾斜部４４Ｍを設けているが、回転軸４１ｘの軸方向から見てプロペラファン４１から吸気口２Ｊが遠い第１部位に、最大傾斜部４４Ｍを設けてもよい。例えば、前記実施形態において仕切り板２１が無い構成が考えられる。ここで、プロペラファン４１から吸気口２Ｊが遠い第１部位とは、プロペラファン４１と吸気口２Ｊとの間に熱交換器３以外の例えば圧縮機などの機械部品６が配置されている部位であって、プロペラファン４１と吸気口２Ｊとの間に前記機械部品６が配置されていない部分よりも流路が長い部位である。
【００４９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５０】
１００・・・空気調和機用室外機
２・・・筐体
２Ｈ・・・吹出口
２ａ・・・前壁部
Ｅ１〜Ｅ８・・・角部
２ｃ・・・後壁部
２ｂ・・・左側壁部
２ｄ・・・右側壁部
２Ｐ・・・前面パネル
３・・・熱交換器
４・・・送風機
４１・・・プロペラファン
４１ｘ・・・プロペラファンの回転軸
４３・・・ベルマウス部
４４・・・ディフューザ部
４４ａ・・・傾斜面
θ・・・傾斜角度
４４Ｍ・・・最大傾斜部
Ｄ・・・開き寸法
【図１】
2018084232.tif 000003
【図２】
2018084232.tif 000004
【図３】
2018084232.tif 000005
【図４】
2018084232.tif 000006
【図５】
2018084232.tif 000007
【図６】
2018084232.tif 000008
【図７】
2018084232.tif 000009
【図８】
2018084232.tif 000010
【図９】
2018084232.tif 000011
【図１０】
2018084232.tif 000012
【図１１】
2018084232.tif 000013